(57)【特許請求の範囲】
【請求項１】
被加工材面上の曲線状または直線状の加工線に沿ってレーザ加工ノズルを相対的に移動させる際に，レーザビームを振動させながら照射する倣いレーザビーム振動装置であって，
レーザ加工ヘッドと移動速度検出手段とミラー駆動制御手段とを具備し，
前記レーザ加工ヘッドは，レーザビームを前記被加工材面上で振動させる可動ミラーを有するミラー駆動部とレーザ加工ノズルで構成され，
前記移動速度検出手段は，前記レーザ加工ノズルが前記加工線に沿って移動する際に，前記加工線上の前記レーザ加工ノズルの移動量を検出する移動量検出部，及び前記移動量を基に前記レーザ加工ノズルの移動方向と速さとからなる移動速度を得る移動速度演算部で構成され，
前記ミラー駆動制御手段は，前記移動方向と速さとからなる移動速度の検出値に基づいて，前記加工線に対して所定の角度，所定の周波数，及び所定の振幅でレーザビームを２次元振動させる振動信号を生成する振動信号生成部と，該振動信号に基づいて前記可動ミラーを２次元振動させてレーザビームを振動照射するミラー駆動制御部とで構成されることを特徴とする倣いレーザビーム振動装置。
【請求項２】
前記移動量検出部は，光源，被加工材表面の画像を得る撮像素子，及び前記画像から移動量を演算する画像処理部で構成されることを特徴とする請求項１に記載の倣いレーザビーム振動装置。
【請求項３】
前記移動量検出部は，レーザ光源とＰＳＤの組み合わせ，レーザ距離計，またはＣＣＤ距離計のうちの一つまたは複数の組み合わせで構成されることを特徴とする請求項１に記載の倣いレーザビーム振動装置。
【請求項４】
前記移動速度検出手段は，加速度センサとジャイロスコープの両方またはいずれか一方を具備することを特徴とする請求項１に記載の倣いレーザビーム振動装置。
【請求項５】
前記移動速度検出手段は，ロータリーエンコーダを具備することを特徴とする請求項１に記載の倣いレーザビーム振動装置。
【請求項６】
被加工材面上の加工線に沿ってレーザビームを振動させながら照射するレーザビーム加工装置であって，
請求項１〜請求項５のうちの一項に記載の倣いレーザビーム振動装置に加えて，レーザビームを被加工材上に集光照射するレーザ加工ヘッドが，予め設定した加工線に沿って倣いながらレーザ加工するレーザビーム倣い手段を具備することを特徴とするビーム振動レーザビーム加工装置。
【請求項７】
被加工材面上をレーザビームを振動させながら照射するレーザビーム加工装置であって，
請求項１〜請求項５のうちの一項に記載の倣いレーザビーム振動装置に加えて，レーザビームを被加工材上に集光照射するレーザ加工ヘッドが，手動またはリアルタイムに指示される被加工材上の加工線に沿って相対移動する手段を具備することを特徴とするビーム振動レーザビーム加工装置。
【発明の詳細な説明】
【技術分野】
【０００１】
本発明は，金属やセラミックス等を被加工物として，溶接や切断等の加工を施すレーザ加工装置に関わり，さらに詳しくは，被加工物上で集光したレーザビームを振動させながらレーザ加工を行うための，倣いレーザビーム振動装置及びビーム振動レーザ加工装置に関するものである。
【背景技術】
【０００２】
例えば，レーザビームを用いた突き合わせ溶接において，ワーク（被加工材）の突き合わせ部の空隙（ギャップ）が溶接線方向に均一でないことが多く，しかもレーザビームのスポット径が1mm以下程度とかなり小さいため，突き合わせ部を縫い合わせるようにレーザビームの照射位置を変化させながら溶接を行うウィービング溶接が，良好な溶接結果を得るために効果的であることが知られている。
【０００３】
特許文献１には，レーザロボットのアーム先端に取り付けたトーチからのレーザビーム照射において，回転軸方向に垂直な面からそれぞれ予め定められた角度傾けられた複数の傾斜ミラーを，それぞれの回転軸のまわりに回転させる複数の傾斜ミラー回転機構が，レーザビームの光路に沿って直列に配置されており，前記複数の傾斜ミラー回転機構によってそれぞれの複数の傾斜ミラーを回転軸まわりに回転させつつ，それらを経由して伝送されたレーザビームをトーチから照射することによって，照射点におけるレーザビームの照射方向が周期的に偏向を受けるようにした装置が開示されている。当装置では，溶接作業を遂行するためのアームの動作は，入出力装置を経て外部からレーザロボットの制御系に指示される。
【０００４】
特許文献２には，溶接，切断，焼き入れ，表面処理，表層除去などの加工を行う形式のレーザ加工装置における，レーザビームの照射点をあらゆる方向へ往復振動させることが可能なレーザビーム振動装置が記載されている。すなわち，当該レーザビーム振動装置は，第１軸心まわりに揺動可能に設けられた可動反射鏡と，その可動反射鏡に所定周波数の往復揺動を付与する振動駆動装置とを有する。レーザ光源から出力されたレーザビームをその可動反射鏡において所定の方向へ反射させることにより，そのレーザビームの照射点を所定の方向に往復振動させるレーザビーム振動装置であって，前記第１軸心に直交する面内に位置する第２軸心まわりに回転可能に設けられて前記可動反射鏡および振動駆動装置を支持する回転支持部材，及び，その回転支持部材を回転駆動することにより前記可動反射鏡を前記第２軸心まわりに回転させる回転駆動装置が開示されている。
【０００５】
特許文献３には，被加工物を加工線に沿って切断したり，穴開けあるいは焼き入れ等の熱加工処理を施す際に，被加工物の加工線が自由曲線であっても常に加工線に対して直交方向にビーム走査を行って，被加工物の加工線に対する均等な入熱制御を可能とし，加工品質の向上を図ることのできるレーザ加工装置が記載されている。すなわち，レーザビームを発生させるビーム発生手段と，前記ビーム発生手段から発生したレーザビームを集束させ，これを走査しながら被加工物に照射するビーム走査手段とを備えたレーザ加工装置において，前記被加工物を載置し前記ビーム走査手段から照射されるレーザビームとほぼ直交する面内の少なくとも2軸方向に移動可能なテーブルと，前記テーブルを移動量や移動速度に関する移動指令値に基づいて加工線に沿って移動制御するテーブル制御手段とを備え，前記ビーム走査手段が，集束されたレーザビームを少なくとも直交する2軸の走査軸で走査させるスキャナ駆動部と，前記テーブル制御手段の移動指令値に基づいて前記被加工物の加工線に対して前記レーザビームが常に直交方向に走査されるように前記スキャナ駆動部を制御するスキャナ制御部とを備えたことを特徴とするレーザ加工装置が開示されている。
【０００６】
上記した従来のレーザビームを振動させながらレーザ加工を施すレーザビーム加工装置では，予め設定した加工線に沿ってレーザビームを照射する際に，当該設定を基にして加工線に直交する方向にレーザビーム振動を付加する方式のレーザビーム振動機能を具備している。
【０００７】
【特許文献１】特開平４−２２０１９０号公報
【特許文献２】特開平７−１８５８６６号公報
【特許文献３】特開平１１−７８４号公報
【発明の開示】
【発明が解決しようとする課題】
【０００８】
上記の従来の方法では，予め設定した加工線にレーザビームを倣わせる駆動装置と，レーザビームを振動させる振動制御装置とを連動させるためには，レーザトーチを位置制御するNC装置等の制御装置の制御軸の追加や加工用制御プログラムの変更等が必要となり，両者間の連携のために大がかりなシステムが必要であった。そして振動機構が故障したときや一時的に振動を停止させて加工するときに，レーザビーム振動の無い状態でレーザ加工することが容易ではなかった。そして，制御軸の一部にトラブルを抱えたまま加工続行ということもできないので，レーザ加工操業上重大な影響を及ぼすことがあった。
【０００９】
本発明は，上記の問題点に鑑みてなされたもので，レーザ加工において，被加工材上の加工線へのレーザビームの倣い制御のビーム制御手段との通信することなく，レーザビーム振動手段単独で自律的に，直線状または曲線上状の加工線の接線方向に対して所定の角度でレーザスポットを振動させて，加工線の両側に対称なレーザ照射軌跡を形成することにより，良好な加工特性を実現するための倣いレーザビーム振動装置及びビーム振動レーザ加工装置を提供することを目的とする。
【課題を解決するための手段】
【００１２】
上記課題を解決するための本発明の要旨は，下記のごとくである。
（１） 被加工材面上の曲線状または直線状の加工線に沿ってレーザ加工ノズルを相対的に移動させる際に，レーザビームを振動させながら照射する倣いレーザビーム振動装置であって，レーザ加工ヘッドと移動速度検出手段とミラー駆動制御手段とを具備し，前記レーザ加工ヘッドは，レーザビームを前記被加工材面上で振動させる可動ミラーを有するミラー駆動部とレーザ加工ノズルで構成され，前記移動速度検出手段は，前記レーザ加工ノズルが前記加工線に沿って移動する際に，前記加工線上の前記レーザ加工ノズルの移動量を検出する移動量検出部，及び前記移動量を基に前記レーザ加工ノズルの移動方向と速さとからなる移動速度を得る移動速度演算部で構成され，前記ミラー駆動制御手段は，前記移動方向と速さとからなる移動速度の検出値に基づいて，前記加工線に対して所定の角度，所定の周波数，及び所定の振幅でレーザビームを２次元振動させる振動信号を生成する振動信号生成部と，該振動信号に基づいて前記可動ミラーを２次元振動させてレーザビームを振動照射するミラー駆動制御部とで構成されることを特徴とする倣いレーザビーム振動装置である。
【００１３】
（２） （１）に記載の倣いレーザビーム振動装置において，前記移動量検出部は，光源，被加工材表面の画像を得る撮像素子，及び前記画像から移動量を演算する画像処理部で構成されていることを特徴とする記載の倣いレーザビーム振動装置である。
【００１４】
（３） （１）に記載の倣いレーザビーム振動装置において，前記移動量検出部は，レーザ光源とＰＳＤ（Ｐｏｓｉｔｉｏｎ  Ｓｅｎｓｉｔｉｖｅ  Ｄｅｔｅｃｔｏｒ）の組み合わせ，レーザ距離計，またはＣＣＤ距離計のうちの一つまた複数の組み合わせで構成されることを特徴とする倣いレーザビーム振動装置である。
【００１５】
（４）  （１）に記載の倣いレーザビーム振動装置において，前記移動速度検出手段は，加速度センサとジャイロスコープの両方またはいずれか一方を具備することを特徴とする倣いレーザビーム振動装置である。
【００１６】
（５）  （１）に記載の倣いレーザビーム振動装置において，前記移動速度検出手段は，ロータリーエンコーダを具備することを特徴とする倣いレーザビーム振動装置である。
【００１７】
（６）  被加工材面上の加工線に沿ってレーザビームを振動させながら照射するレーザビーム加工装置であって，レーザビームを被加工材上に集光照射するレーザ加工ヘッドが，予め設定した加工線に沿って倣いながらレーザ加工するレーザビーム倣い手段と，（１）〜（５）のうちの一つに記載の倣いレーザビーム振動装置を具備することを特徴とするビーム振動レーザビーム加工装置である。
【００１８】
（７）  被加工材面上をレーザビームを振動させながら照射するレーザビーム加工装置であって，レーザビームを被加工材上に集光照射するレーザ加工ヘッドが，手動またはリアルタイムに指示される被加工材上の加工線に沿って相対移動する手段と，（１）〜（５）のうちの一つに記載の倣いレーザビーム振動装置を具備することを特徴とするビーム振動レーザビーム加工装置である。
【発明の効果】
【００１９】
本発明の倣いレーザビーム振動装置によれば，レーザ加工において被加工材上の加工線への，レーザビームの倣いのためのレーザビーム制御手段によらず，倣いレーザビーム振動装置のみ単独で自律的にレーザビームを振動させて，加工線の両側に所定の角度でレーザスポットを振動させてレーザ加工を実行することができる。
【００２０】
その結果，本発明のビーム振動レーザビーム加工装置では，レーザビーム振動の有無を問わず，レーザビームの加工線への倣いを同様に制御することができ，レーザビーム倣いの制御手段を同一にできる。また，レーザビーム倣い制御手段にレーザビーム振動手段を単純に追加する構成が可能であり，装置構成を簡略にすることが可能である。
【発明を実施するための最良の形態】
【００２１】
本発明の倣いレーザビーム振動装置及びビーム振動レーザ加工装置の実施の形態を，図を用いて詳細に説明する。なお，下記の各図において，同一の機能を有する部分には同一の番号を付記した。
【００２２】
＜第一の実施の形態＞
本願第１の発明である倣いレーザビーム振動装置の一例について，レーザ切断装置における実施の形態を図１に示すブロック図を用いて説明する。なお，切断のほか溶接，焼き入れ，表面処理，または表層除去等を行うレーザ加工装置においても，同様に倣いレーザビーム装置を構成することができることは明らかである。
【００２３】
（全体構成）
本実施の形態例の倣いレーザビーム振動装置は，レーザビームＬＢを被切断材（ワーク）Ｗ上に集光・照射してレーザスポットを形成して，切断線に直交する方法に当該レーザスポットを振動させながら切断加工するものである。本装置は，レーザビームＬＢとアシストガスの出射するレーザ加工ノズル７と，レーザ加工ノズル７の被切断材Ｗに対する移動量を検出するための移動量検出部１，及び移動量検出部１からの情報を基にレーザ加工ノズル７の移動方向と速さを算出する移動速度演算部２で構成される移動速度検出手段と，移動速度演算部２で算出された移動速度情報に基づいてレーザビームＬＢの振動制御信号を作成する振動信号生成部３と，さらに，振動信号生成部３からの振動制御信号を基にミラー駆動部５を制御し電力を供給するミラー駆動制御部４を備えている。
【００２４】
レーザ加工ノズル７に相対する被切断材Ｗ面上における，レーザ加工ノズル７の切断線（加工線）の接線方向と移動速さ（すなわち移動速度）の検出値であるレーザ加工ノズル７の移動速度情報を，移動速度演算部２は演算処理して出力する。この移動速度情報に基づいて，切断線の接線方向に対して一定の角度，例えば垂直方向に，所定の周波数，所定の振幅で，被切断面上における２次元のレーザビーム振動を生成させる振動制御信号を振動信号生成部３が作成する。ミラー駆動部５は，レーザビームＬＢを振動させレーザビームスポットを２次元走査するミラー５２，５３とミラー駆動機構とで構成されている。
【００２５】
（ミラー駆動部とレーザ加工ノズル）
図２に切断用（加工用）の倣いレーザビーム振動装置のレーザ加工ヘッドの概略を側面図で示す。レーザ加工ヘッドは，上記のミラー駆動部５，レーザビームＬＢとアシストガスの出射口であるレーザ加工ノズル７，レーザビーム集光光学系８を備え，ミラー駆動部５には移動量検出部１が取付けられている。
【００２６】
ミラー駆動部５において，ミラーボックス５１の内部に，レーザビームＬＢを振動させてレーザスポットを２次元走査するための，互いに回転軸が直交する回転振動する２枚のミラー５２，５３を設ける。ミラー５２，５３の駆動は例えば以下のような仕組みのものである。ミラー５２，５３をそれぞれガルバノモータ５４の主軸にバランスを取って取り付けて，ガルバノモータ５４により所定の周波数と角度振幅とで回転往復運動させる。２枚のミラーの回転軸を直交させて，被切断材上のレーザスポットを互いに直交する方向に往復振動させて，２次元走査させる。ミラーホルダー５５は，直接または間接的に水冷してもよい。ミラー５２，５３としては，軽量・安価なシリコン素材のものが好ましいが，これにこだわるものではなくベリリウム等他の軽量素材を用いることもできる。
【００２７】
なお，上記では振動を発生する機構としてガルバノモータ５４を用いる方式を用いたが，ローラーフォロアなど他の機構を，上記と同様の２次元の往復運動をするように構成して使用しても良い。必要条件としては２枚のミラー５２，５３を同期させて，レーザビームスポットを被加工材Ｗ上で，任意の方向に所定の振幅で振動させ得ることである。さらに，ミラー５２，５３の振動波形が必ずしも完全な正弦波形でなくても，レーザスポットの軌跡が線形でありさえすればよい。そうすればレーザ切断の性能において特に有意な違いは出ない。
【００２８】
ミラーボックス５１の下手にレーザビームＬＢと同軸で酸素などのアシストガスを噴射するレーザ加工ノズル７を設ける。アシストガスは導入口７１から供給される。
【００２９】
さて，図２のように，レーザビーム集光光学系である集光レンズ８をミラー駆動部５の上側に配置すると，レンズ８の集光作用によってミラー５２，５３面上でのビーム径が小さくなるため，より小径のミラーを用いることが可能になる利点がある。一方，集光レンズ８とミラー駆動部５の順序を入れ替えることも可能である。そうすれば集光レンズ８自体がミラー駆動部５とレーザ加工ノズル７との間のしきりの役割を果たすので容易に気密性が保てる利点がある。以下では図２に示した，ミラー駆動部５の上に集光レンズ８を配置する場合を例として説明する。
【００３０】
（移動速度検出手段）
移動速度検出手段について説明する。レーザ加工ノズル７の被切断材Ｗに対する平面的な移動速度を検出する移動速度検出手段は，光学式や電磁式の移動量検出部１と移動速度演算部２からなる。
【００３１】
移動量検出部１としては，例えば，市販の光学マウス用センサのような光学式の位置・運動センサを用いることが出来る。当該センサは，半導体レーザ１２と画像処理チップを内蔵した光センサデバイス１３からなり，リアルタイムでレーザ加工ノズル７の位置を，被切断材Ｗ上のレーザスポット位置から一定量オフセットして検出する。このセンサは１台で２次元の検出能を持っている。１台で使用しても良いし，敢えて１次元センサとして用いて，２台構成で用いて２次元の各位置成分をそれぞれ測定しても良い。本実施の形態では，２台の光学式の移動量検出センサを用いる。仮に，レーザ切断機の幅（横行）方向をＸ軸，長手方向をＹ軸（以下，機械座標軸Ｘ，Ｙとも呼ぶ）とし，ミラー駆動部５内の２軸のミラー５２，５３の振動方向は，それぞれ初期の取り付け時にＸ軸，Ｙ軸のいずれかに一致させておくものとして説明する。上記２台の移動量検出部１をミラー駆動部５の下に設置した。半導体レーザ１２は，図２に示すように被切断材Ｗの表面をスポット的に照明する。その照明点の画像を光学センサデバイス１３に内蔵の小型カメラで撮像し，同じく内蔵の画像処理回路によって，Ｘ軸方向またはＹ軸方向の移動量を認識する。そしてそれぞれの出力を移動速度演算部２に送る。
【００３２】
光学式の移動量検出部１としては，上記の例の他に，半導体レーザと２次元ＰＳＤ（Ｐｏｓｉｔｉｏｎ  Ｓｅｎｓｉｔｉｖｅ  Ｄｅｔｅｃｔｏｒ）素子の組み合わせを用いても可能である。また，移動量検出部１は，被切断材側に配設して，レーザ加工ヘッドの動きをモニターする方式であっても良い。
【００３３】
移動速度演算部２では，移動量検出部１からの情報を基にレーザ加工ノズル７の被切断材Ｗに対する相対的な平面移動の方向と速さ（すなわち移動速度信号）を算出する。時刻ｔ1と時刻t２の間のレーザ加工ノズル７の移動を示す合成ベクトルの方向と大きさを割り出し，合成ベクトルと一方の座標軸，例えばＸ軸とがなす角から進行方向を割り出す。具体的には位置の差分をΔX，ΔYとするとき，角度θ=arctan（ΔY/ΔX）により角度を求める。
【００３４】
ところで，移動速度信号は，切断線または加工線に沿って移動するレーザ加工ノズル７の運動のリアルタイム検出値である。この検出値に基づいて，切断線の接線方向と所定の角度（例えば直角）をなす振動を設定することができる。なお，レーザ加工ノズル７の移動速度が遅い場合，例えばレーザ加工ノズル７の移動速度がレーザビームＬＢの振動速度の１／１０以下のように遅いときには，角度θすなわち移動方向のみを移動速度信号としてもよい。そのとき，レーザビームＬＢの振動速度は予め設定しておく。
【００３５】
（振動信号生成部）
振動信号生成部３は，上記で得た移動速度信号から，ミラー駆動部５内の２枚組のミラー５２，５３の振動周波数と振幅を制御する振動信号を設定する。具体的には，速度の情報からミラー５２，５３の振動周波数と振幅を，予め設定した関係式に基づいて決める。
【００３６】
例えば，被切断材Ｗに対するレーザ加工ノズル７の相対的な移動速さv（mm/s）に対しレーザビームＬＢの振動すべき周波数をｃ＊v（Hz）と決める。ただし，ｃは定数である。次に，移動方向を基にして振動方向を例えば直交方向に，また，移動速さvの値に応じて，被切断材上でのレーザスポットの振動振幅A（mm）を例えばA=3.3/v-0.15のように決める。そして，振動振幅Aを実現するためのミラー５２，５３の回転振幅は，A，及び，ミラー５２，５３と被切断材との間のレーザビームＬＢの行程で決まる幾何学的配置，並びに，レーザ加工ノズル７の移動方向が前記Ｘ軸およびＹ軸となす角度の情報からミラー５２，５３それぞれの実振幅を決める。
【００３７】
なお，移動速さが小さい場合には，振動すべき周波数や振幅を固定したり，別の振幅条件を設定しても良い。
【００３８】
振動信号生成部３では，上記の「振動すべき周波数」と「実振幅」に基づいてミラー駆動制御部４へ送る振動信号を発生する。振動信号の発生手段としては，２チャンネルの出力をもつ任意波形発生器でチャンネル間の位相同期が可能なもの等を用いることができる。
【００３９】
次に，ミラー５２，５３の振動のさせ方について図２に沿って説明する。基本的には，一般に曲線である切断線に沿って，切断位置それぞれにおいて，２枚組のミラー５２，５３の振幅と位相差を上記したように制御なら，集光スポットが常に切断線に対して所定の振幅で所定の角度（たとえば９０度）をなす単振動を行うようにして，切断加工を行うことができる。
【００４０】
（ミラー駆動制御部）
振動信号生成部３において，２枚のミラー５２，５３の振動周波数，振幅，および位相を時々刻々と決定し，切断線が曲線である場合にもレーザスポットの振動方向が切断線に対して常に所定の角度，例として直交するようにする方法について詳細に述べる。具体的にはミラー５２，５３の振動を下記の式のように与える。すなわち，
X=A×cosθ×sin(ωt+φ)                            (式１)
に従って第1のミラー５２を振動させ，
Y=A×sinθ×sin(ωt+φ)                            (式２)
に従って第２のミラー５３を振動させる。ただし，Aは最大の振動振幅，ωは周波数，φは位相角である。対称性のため第１のミラー５２と第２のミラー５３の最大振幅Aは同じとしている。また，同期振動のため位相角φは同じとしている。つまり，位相角φ=0としても意味は変わらないので，次のように書いても良い。
X=A×cosθ×sin(ωt)                              (式３)
Y=A×sinθ×sin(ωt)                              (式４)
【００４１】
レーザ加工ノズル７上の観測者を仮定すると，この観測者から見て被切断材Ｗ上でのレーザスポットの振動軌跡は機械座標軸Xに対して反時計回りにθだけ回転した単振動の軌跡となる。移動速度演算部２にて算出したレーザ加工ノズル７と一体の座標系の進行方向の角度θ情報を用いてミラーの振動の振幅A×cosθおよびA×sinθのθに常に電気的な更新をかけることでレーザスポットの振動方向が常に切断線方向に対して直交の姿勢を保つように制御することができるわけである。例えば，切断線がY軸方向に一致している場合，レーザスポットの振動方向はそれに直角なX軸方向としたいが，それには処理の結果，θ=0とすればよい。移動量検出手段１と移動速度演算部２とはこうした処理をリアルタイムで自動で行う。
【００４２】
なお，レーザビームの反射方向の順番はＸ軸とＹ軸を逆にしても良い。また，２つのミラー５２，５３の振動波形が（式3），（式4）のように完全な正弦波形でなくてもよく矩形波や三角波，あるいは鋸波でも同期さえ取れていれば合成振動の軌跡は線形になる。
【００４３】
上記のように，レーザ加工ノズル７の移動に連動して２枚のミラー５２，５３の振動を制御することによって，被加工物Ｗの加工線が自由曲線であっても常に加工線に対して直交方向にビームスポットを振動させることが出来る。その結果，被加工物Ｗの加工線に対する均等な入熱制御を可能とし，加工品質の向上を図ることができる。
【００４４】
以上のように，本発明では，従来のレーザ切断機の制御を行うＮＣ装置等の制御装置とは独立に，切断線に沿って倣いながら，レーザビーム振動制御装置によって所定の方向，所定の周波数，所定の振幅でミラー５２，５３を振動させながら切断加工することができる。
【００４５】
また，上記のＮＣ装置等の制御装置と本発明の倣いレーザビーム振動装置の制御装置との間に直接的な制御信号の送受信がない。万一，倣いレーザビーム振動装置に何らかのトラブルが発生しても，レーザビーム振動無しでの一時的な切断加工も可能である。
【００４６】
＜第２の実施の形態＞
本願第２の発明であるビーム振動レーザビーム加工装置の一例として，ビーム振動レーザ切断装置の一例の概略を図３に示す。
【００４７】
本ビーム振動レーザビーム切断装置は，レーザ（光源）９，被切断材Ｗを載せる長手方向移動台車１２，レーザ切断トーチ６を装着して被切断材の幅方向に移動させる幅方向伸縮機構１１，及び被切断材を予め設定した切断線に沿って長手方向移動台車１２及び幅方向伸縮機構１１を用いてレーザ切断トーチ６を二次元的に移動させて切断加工をする制御装置（ＮＣ装置）に加えて，前記第一の発明の実施の形態で説明した倣いレーザビーム振動装置で構成されている。レーザ切断トーチ６には上記したレーザ加工ヘッド（レーザ切断ノズル７）が組み込まれている。また，移動量検出部１０１をレーザ加工ヘッドに配設して移動検出するように構成している。
【００４８】
切断作業については，従来のレーザ切断機による場合の操作に加えて，倣いレーザビーム振動装置を前記したように操作する。
【００４９】
なお，本実施の形態において，レーザ加工ヘッドは脱着可能にして，従来タイプの振動しないレーザ加工トーチを使用できるようにしても良い。
【００５０】
＜第３の実施の形態＞
上記の第１の実施の形態及び第２の実施の形態においては，移動量検出部１，１０１をレーザ加工ヘッドに配設して移動検出する，言わば光学マウスに類似する方式を示した。
【００５１】
その他移動量検出部１，１０１として，レーザ距離計，ＣＣＤ距離計を用いる方式でも並進機構を駆動するモーターからのパルスエンコーダ信号を用いる方式でも，加速度センサを用いる方式でも，ジャイロセンサを用いる方式でも同様に，被切断材Ｗと切断ノズル７との相対移動の量と方向を自動的に検知する機能が実現できる。
【００５２】
例えば，移動量検出部としてレーザ距離計１０２を用いる場合は，図４に示すように，Ｘ方向とＹ方向とに対応してそれぞれレーザ加工ノズル７と軸端との距離をレーザ距離計１０２にて測定しその値を移動量演算部２に送ることになる。移動量演算部２では時間Δtの間の位置の差分ΔＸ，ΔＹを用いて現在の進行方向の角度θを
θ=arctan（ΔY/ΔX）                              （式５）
により割り出す。そして，速さｖを
ｖ＝（ΔX2＋ΔY２）1/2／Δｔ                        （式６）
により速さを割り出す。他は上記と同様である。
【００５３】
また，加速度センサまたはジャイロセンサを用いる場合は，図５に示すように，ミラー駆動部５に加速度センサ１０３またはジャイロセンサを取り付ければよい。加速度センサ１０３にて時間Δｔ毎にＸ方向とＹ方向の加速度aX，aYを測定する。移動量演算部２では，これらの情報を用いて良い近似で方向と速さを算出する。現在の速度（ｖX２, ｖY２）を
ｖX２＝aX・Δｔ＋ｖX１，ｖY２＝aY・Δｔ＋ｖY１          （式７）
のように求める。ここでｖX１，ｖY１は時間Δｔだけ前の速度成分である。初期値は0である。これらより移動の方向を角度θを
θ=arctan（ｖY２/ｖX２）                            （式８）
また，速さｖを
ｖ＝（ｖX２2＋ｖY２２）1/2                            （式９）
より割り出す。後の処理の流れは上記と同様である。
【００５４】
＜その他の実施の形態＞
上記の第１，第２，及び第３の実施の形態においては，移動量検出部１でレーザ加工ヘッドの動きを直接的にモニタする移動検出方式を示した。
【００５５】
その他移動量検出部１として，例えば，レーザ加工ヘッドを被加工材の加工線上に倣わせる駆動系に，ロータリーエンコーダを配設する方式でも，被切断材Wと切断ノズル７との相対移動の量と方向を自動的に検知する機能が実現できる。後付けのギアなどを介して検出しても良いし既存の並進機構を駆動するモーターからのパルス信号を用いても良い。後に図６で説明する例では，長手方向移動台車の並進方向（Ｙ軸方向）への移動量を検出するロータリーエンコーダ１０６を設置した例を示している。ガイドレール１３側面にはギア（ラック）１０５が刻まれており，これと歯のピッチを合わせたギア１０４を用いて回転量から換算して移動量を読み取る。また，図７に示す例では，長手方向移動台車の並進方向（Ｙ軸方向）への移動量を検出するロータリーエンコーダ１０６と，幅方向（Ｘ軸方向）への移動量を検出するロータリーエンコーダ１０６と，それぞれ装着した例を示している。これら図６，７に示される例のように移動量検出センサ１としてロータリーエンコーダ１０６を設けてエンコーダ信号を用いる場合でも，処理の流れは上記第２の実施の形態と同様である。
【００５６】
さらに，場合によってはレーザ切断機をプログラムによる制御でなく，手動データ入力によって動作させる場合もあるが，そのような場合でも，本発明の倣いレーザビーム振動装置は問題なく作動することを発明者らは強調しておきたい。
【００５７】
上述のように，本発明のレーザ切断用ビーム振動装置によれば，レーザ切断機本体の制御手段との通信等を要せず単独で自己完結的にレーザビームＬＢの被切断材Ｗに対する相対的な平面移動の方向と速度を自動判定して移動の方向と速度に応じて切断線に対して一定の方向に集光スポットを振動させ左右対称なレーザ照射軌跡を形成しながら良好な切断特性を実現でき，かつ簡易に脱着できるレーザ切断用ビーム振動装置を提供することができる。
【実施例１】
【００５８】
倣いレーザ切断用ビーム振動装置を，出力６kWの従来型のＣＯ2レーザ切断機に後付けし，軟鋼のレーザ切断を試みた。既存のレーザ加工ヘッドを本発明のレーザビーム振動機能を備えたレーザ加工ヘッドに交換した。集光レンズの焦点距離は254mmとした。集光レンズの素材はZnSeを用いた。集光レンズへの入射レーザビーム径は約50mm，集光点でのスポットサイズは約0.4mmである。被切断材は軟鋼の厚鋼板とした。図３を用いて本実施例を説明する。レーザ切断トーチ６は幅方向（X方向）に移動する伸縮機構11に接続されている。そしてそれら全体が長手方向（Y方向）にレール13の上を移動する台車12に搭載されている。前記伸縮機構11および台車12によって直交する2軸の並進走査機構をなす。レーザビームを直交する2軸で独立に振動させる２枚のミラーを内蔵したミラー駆動部５およびレーザ切断ノズル７はレーザ切断トーチ６の下部に設置される。また，被切断材Wとレーザ切断ノズル７との相対移動の量や方向を自動的に検知する移動量検出部１０１として，市販の光学マウス用センサを２組用いた。本実施例ではミラー駆動部５の下部に配設した。レーザ切断機において，市販の状態よりもワークディスタンスを長くするために送光，受光用レンズの焦点距離はそれぞれより長いものに変更した。なお，レーザ切断時に発生する迷光を除去するため被切断材の表面を照明する光源である半導体レーザの波長780nmを中心波長とするバンドパスフィルターを用いた。移動量検出部１０１からの情報を元にレーザビームLBの振動方向が切断線に対して常に直交した振動方向を保つように，２枚のミラーの振動振幅を所定の値に制御する移動速度演算部２は台車12上に搭載した。
【実施例２】
【００５９】
図６及び図３を用いて別の実施例を説明する。レーザ切断トーチ６は幅方向（X方向）に移動する伸縮機構11に接続されている。そしてそれら全体が長手方向（Y方向）にレール13の上を，ラックとピニオンで構成された駆動機構により移動する台車12に搭載されている。前記伸縮機構11も台車12と同様の移動機構にしても良く，直交する2軸の並進走査機構を構成する。レーザビームを直交する2軸で独立に振動させる２枚のミラーを内蔵したミラー駆動部５およびレーザ切断ノズル７はレーザ切断トーチ６の下部に設置される。被切断材Wとレーザ切断ノズル７との相対移動の量や方向を自動的に検知する移動量検出部には，ギア方式のロータリーエンコーダ１０６を用いた。本実施例の図６は並進機構のガイドレール部に配設した図である。図６では長手方向（Ｙ軸）台車の並進機構に設置した例を示している。ガイドレール１３側面にはギア（ラック）１０５が刻まれており，これと歯のピッチを合わせた回転検出用ギア１０４を用いて回転量から換算して移動量を読み取る。横行軸（Ｘ軸）でも同様の仕組みが適用できる。移動量検出部からの情報を元にレーザビームLBの振動方向が切断線に対して常に直交した振動方向を保つように，２枚のミラーの振動振幅を所定の値に制御する移動速度演算部２は台車12上に搭載した。なお，図７は２軸の並進走査機構に２組のギア式のロータリーエンコーダ１０６を配設した状態を示す。
【００６０】
以上に説明した本発明の実施例１，２のレーザ切断用の倣いビーム振動装置を適用した結果，切断カーフ内での溶鋼の流れが整流化されると共に酸素流が有効に拡大したカーフ内に供給され下部断面の粗さも改善した。また，左右の切断面は対称で共に良好となった。ビームを駆動させない場合はレーザ出力6ｋWにて最大切断板厚が19mmに限定されるが，上記正弦波状振動を与えた場合，最大切断板厚は32mmに拡大した。
【産業上の利用可能性】
【００６１】
本発明は，例えば金属やセラミックス等を被加工物として，溶接や切断等の加工を施すレーザ加工技術に利用できる。
【図面の簡単な説明】
【００６２】
【図１】第１の発明の実施の形態にかかる倣いレーザビーム振動装置のブロック構成を示す図である。
【図２】第１の発明の実施の形態にかかる倣いレーザビーム振動装置のレーザ加工ヘッドの一例の側面の概略図である。
【図３】第２の発明の実施の形態にかかるビーム振動レーザビーム加工装置の概略図である。
【図４】本発明の別の実施の形態を示す概略図である。
【図５】本発明の更に別の実施の形態を示す概略図である。
【図６】本発明の異なる実施の形態を示す概略図である。
【図７】２軸の並進走査機構に２組のギア式のロータリーエンコーダ１０６を配設した概略図である。
【符号の説明】
【００６３】
１  移動量検出部
２  移動速度演算部
３  振動信号生成部
４  ミラー駆動制御部
５  ミラー駆動部
６  レーザトーチ
７  レーザ加工ノズル
８  集光レンズ
９  レーザ装置
１０  レーザ加工機本体のNC装置
１１  幅方向伸縮機構
１２  長手方向移動台車
１３  レール
５１  ミラーボックス
５２，５３  ミラー
５４  ガルバノモータ
５５  ミラー台
７１  アシストガス供給口
１０１  光学マウスセンサを用いた移動量検出部
１０２  レーザ距離計を用いた移動量検出部
１０３  加速度センサーを用いた移動量検出部
１０４  回転検出用ギア
１０５  ラック
１０６  ロータリーエンコーダ
ＬＢ  レーザビーム
Ｗ  ワーク（被切断材）
【図１】
0004786372.tif 000002
【図２】
0004786372.tif 000003
【図３】
0004786372.tif 000004
【図４】
0004786372.tif 000005
【図５】
0004786372.tif 000006
【図６】
0004786372.tif 000007
【図７】
0004786372.tif 000008